(57)【要約】本発明は注射器、より詳細には、ユーザがより安全に使用できる使い捨て式注射器を提供する。本発明による使い捨て式注射器は、両端が開口されたシリンダと、前記シリンダの一方の端部に挿入されるアダプタ管と、前記アダプタ管に挿入されて、前記アダプタ管を前記シリンダの内壁に緊密に接触させる差し込み管と、前記シリンダに挿入されるピストンとを含むことを特徴とする。
2006525830.tif 000002
【特許請求の範囲】
【請求項１】
両端が開口されたシリンダと、
前記シリンダの一方の端部に挿入されるアダプタ管と、
前記アダプタ管に挿入されて、前記アダプタ管を前記シリンダの内壁に緊密に接触させる差し込み管と、
前記シリンダに挿入されるピストンと
を含むことを特徴とする使い捨て式注射器。
【請求項２】
前記アダプタ管は、小径部と、前記小径部より内径が相対的に大きい大径部とを含み、
前記差し込み管は、前記アダプタ管の大径部の内壁に緊密に接触する第１の接触部と、前記小径部に挿入される挿入部とを含むことを特徴とする請求項１に記載の使い捨て式注射器。
【請求項３】
前記差し込み管はさらに、前記第１の接触部の後方に延び、かつ前記シリンダの内壁に接触する第２の接触部を含むことを特徴とする請求項２に記載の使い捨て式注射器。
【請求項４】
前記アダプタ管の小径部には第２の係止段差が形成され、前記差し込み管の挿入部には前記アダプタとの第２の係止段差に対応する第２の係止突起が形成されることを特徴とする請求項３に記載の使い捨て式注射器。
【請求項５】
前記差し込み管の第２の係止突起は、当該差し込み管の前側の一部のみに形成されていることを特徴とする請求項４に記載の使い捨て式注射器。
【請求項６】
前記差し込み管の第２の係止突起は、前方に所定の傾斜を有することを特徴とする請求項４に記載の使い捨て式注射器。
【請求項７】
前記差し込み管の後側には内側に第１の係止段差が形成され、前記ピストンの前側には前記差し込み管の第１の係止段差に対応する第１の係止突起が形成されることを特徴とする請求項２に記載の使い捨て式注射器。
【請求項８】
前記差し込み管の第１の係止段差と前記ピストンの第１の係止突起のうちのいずれかは傾いて形成されていることを特徴とする請求項７に記載の使い捨て式注射器。
【請求項９】
前記差し込み管の第１の接触部の外径は前記アダプタ管の大径部の内径より大きいことを特徴とする請求項２に記載の使い捨て式注射器。
【請求項１０】
前記アダプタ管の外壁には係合突起が形成され、前記シリンダの内壁には前記アダプタ管との係合突起に対応する係合溝が形成されることを特徴とする請求項２に記載の使い捨て式注射器。
【請求項１１】
前記アダプタ管と前記差し込み管のうち、少なくとも一方は弾性部材からなることを特徴とする請求項２に記載の使い捨て式注射器。
【請求項１２】
前記アダプタ管の外壁には突出片が形成され、前記シリンダの内壁には前記突出片に対応する凹溝が形成されることを特徴とする請求項２に記載の使い捨て式注射器。
【請求項１３】
前記アダプタ管はその前方に延びる注射液排出管を有することを特徴とする請求項２に記載の使い捨て式注射器。
【請求項１４】
前記注射液排出管には注射針固定管が結合されることを特徴とする請求項１３に記載の使い捨て式注射器。
【請求項１５】
前記シリンダの前側には結合管が形成され、前記結合管の内壁には突起が形成され、また前記注射針固定管には前記結合管の突起に係合するフランジが形成されることを特徴とする請求項１３に記載の使い捨て式注射器。
【請求項１６】
前記ピストンの前側には、前記注射液排出管に挿入される加圧片が偏心して形成されていることを特徴とする請求項１３に記載の使い捨て式注射器。
【請求項１７】
前記加圧片は弾性部材からなることを特徴とする請求項１６に記載の使い捨て式注射器。
【発明の詳細な説明】
【技術分野】
【０００１】
本発明は注射器に関するもので、より詳細には、ユーザがより安全に使用できる使い捨て式注射器に関する。
【背景技術】
【０００２】
一般的に、注射器は患者などに注射液を注入するために使用される医療機器である。また、注射器は病原菌などによる感染を防止するため、使い捨て式のものがよく用いられる。以下、添付の図面を参照しながら、従来の使い捨て式注射器について説明する。
【０００３】
図１を参照して、従来の使い捨て式注射器の一例の構造を説明する。
使い捨て式注射器は、内部に空間部を有し、かつ前側には結合管２が段差を持って形成されているシリンダ１を有する。また、シリンダ１の内部には、シリンダの長手方向に沿って前後に移動するプランジャが備えられる。さらに、プランジャの前側にはシリンダ１と緊密に接触した状態で共に移動するピストン４が結合されている。
【０００４】
シリンダ１に形成されている結合管２には、外側から注射針固定管５が分離可能に結合される。また、注射針固定管には注射針６が固定される。また、注射針固定管５は、注射針６を完全に囲んだ状態で保護できるように注射針保護キャップ７と結合される。
【０００５】
図２Ａを参照して従来の使い捨て式注射器の一例による注射液の吸入過程を説明する。
まず、注射針６を保護している注射針保護キャップ７を注射針固定管５から外す。その後、シリンダの空間部に嵌挿されているプランジャ３を前方に押す。また、注射針６の端を、注射液筒(図示せず)の注射液に浸す。
【０００６】
ピストン４が結合されているプランジャ３を後方に引くと、シリンダ１内の空間部に吸入力が発生する。このとき、注射液が、注射針固定管５に固定されている注射針６を通して吸入され、シリンダ１内の空間部に吸入される。
【０００７】
図２Ｂを参照して従来の使い捨て式注射器の一例による注射液の注入過程を説明する。
まず、ユーザが注射針６を患者の皮膚に差し込む。その後、プランジャ３を押圧してピストン４を前方に移動させる。すると、シリンダ１内の空間部のうち、ピストン４を基準として図面の左側部分に圧縮力が発生する。それにより、シリンダ１内の空間部に入れられた注射液が、圧縮力を受けて、シリンダ１に形成されている結合管２から流れ出る。
【０００８】
結合管から押し出された注射液は、注射針固定管５に固定されている注射針６を通して患者の皮膚に続けて注入され、投薬が行われる。このとき注射液が結合管２と注射針固定管５との間で漏れることはない。これは、結合管２と注射針固定管５とが強固に係合されているからである。
【０００９】
なお、注射器の使用後には、注射器を廃棄するため、外した注射針保護キャップ７を注射針固定管５に再び結合させる。即ち、注射針保護キャップ７が注射針５を完全に囲んで保護するようにする。
【００１０】
上述した従来の使い捨て式注射器では、注射液の注入過程において注射液が漏れることはない。しかし、使用済みの注射器を廃棄するために注射針保護キャップを注射針固定管にかぶせる過程において、ユーザが注射針に誤って刺されるという事故がよく起きる。また、注射針を保護している注射針保護キャップが外れてしまい、医療用廃棄物を処理する作業者が注射針に刺されるなどの事故も起こっている。
【００１１】
したがって、医療用機械、器具物を製造する業界では、従来の使い捨て式注射器の問題を解決するため、注射液が漏れず、かつ前述の事故を予防できる使い捨て式注射器を開発し使用している。
【００１２】
図３を参照して、安全に使用できる従来の使い捨て式注射器の他の例の構造について説明する。
本注射器は、結合管１２が段差を持たせて形成されているシリンダ１１と、ピストン１４が結合されているプランジャ１３とを備えている。また、注射針１６が固定されている注射針固定管１５をも備えている。結合管１２の内径部に、結合管と注射針固定管１５との緊密を保つため、Ｏ−リング１９が設けられる。さらに、注射針固定管１５の後側の外周縁にはフランジ１５ａが形成される。
【００１３】
シリンダ１１は、一端と他端が連通している状態で内部に空間部を有し、前側には結合管１２が段差を持たせて形成されている。また、結合管１２の外側には注射針１６を囲んだ状態で保護できる注射針保護キャップ１７が取り外し可能に結合されている。
【００１４】
シリンダ内の空間部には、シリンダ１１の長手方向に沿って前後に移動するプランジャ１３が嵌挿される。プランジャ１３の前側には、シリンダ１１と緊密に接触した状態でシリンダ内を移動して、圧縮力または吸入力を提供するピストン１４が結合されている。また、プランジャ１３の前側には、注射針固定管の係止段差に対応する係止片１３ａが形成されている。また、プランジャ１３のピストン１４に近い部分には、プランジャ１３を折ることにより容易に分離させることができる切断溝１８が形成されている。
【００１５】
注射針固定管１５は、シリンダ１１に形成されている結合管１２の前端から外部に突出するように、シリンダ１１の内側の空間部側から挿入される。注射針固定管１５を結合管１２に安全に結合させておくためには、一定長さの接触面を有する必要がある。しかし、強よく係合させると、注射完了後、注射針固定管をシリンダ空間部の内に戻ることができなくなる。そのため、結合管１２と注射針固定管１５とは微細な間隔を持たせて結合させるようにしている。注射針固定管１５の後側の外周縁にフランジ１５ａを形成し、結合管１２とシリンダとが段差を有するため、フランジ１５ａがシリンダ内部に形成された段部に係止される。
【００１６】
結合管１２の内径部にはＯ−リング１９が係止されるが、これは結合管１２と注射針固定管１５との微細な間隔から注射液が漏れるのを防止するためのである。即ち、Ｏ−リング１９は結合管１２と注射針固定管１５との間の間隔を緊密な状態に維持させる役割を果たしている。
【００１７】
図４を参照して、使い捨て式注射器の他の例に係る注射針固定管とプランジャの前側部分の構造を説明する。
注射針固定管１５の後端の内径部に互いに対向した一対の係止段差１５ｂが形成されている。また、プランジャ１３の前端にはプランジャを前方に完全に押したとき、係止段差１５ｂに係止する係止片１３ａが形成されている。また、係止段差１５ｂと係止片１３ａはそれぞれ一定の傾斜面を有している。これにより、プランジャ１３の注射針固定管１５への嵌挿時の接触による干渉力をできる限り最小にすることができる。
【００１８】
図５Ａないし図５Ｅを参照して、従来の使い捨て式注射器の他の例に係る使用状態を説明する。
患者に注射液を注入するためには、まずシリンダ内の空間部に注射液を吸入しなければならない。注射液をシリンダ内の空間部に吸入させる過程は、上述した従来の使い捨て式注射器の例と同一であるので、詳しい説明は省略する。図５Ａはシリンダ１１内の空間部の、プランジャ１３に結合されたピストン１４を基準として図面の左側部分に注射液が充満している状態を示している。また、患者に注射液を注入する過程も、同様に上述した従来の使い捨て式注射器の例における過程と同一であるので、省略する。
【００１９】
図５Ｂ、図５Ｃを参照しながら、患者に注射液を注入完了した状態と注射針固定管をシリンダ内部に引き入れる過程を説明する。
注射液の注入完了状態では、シリンダ１１に形成されている結合管１２の内に、注射針固定管１５が係合されている。このとき、シリンダ１１と結合管１２とが段差を持たせて形成されているので、注射針固定管の後側の外周縁に形成されているフランジ１５ａがその一体化されている段部に係止されている。また、注射針固定管１５の前方への移動が、フランジ１５ａにより制限されている。
【００２０】
注射液の注入完了後、患者の皮膚に刺した注射針１６を抜き、プランジャ１３を患者と反対方向に引くと、プランジャの係止片１３ａが注射針固定管１５の係止段差１５ｂに係止されているため、注射針固定管１５はプランジャと共に後方に移動する。
【００２１】
さらに、プランジャ１３を後方に引き続けると、注射針固定管１５がシリンダの内部に完全に引き寄せられる。このとき注射針固定管１５はプランジャの係止片１３ａにより支持される。即ち、注射針固定管の後側の外周縁に形成されているフランジ１５ａの外径が、シリンダの後側の内径より小さいため、注射針固定管１５はプランジャ１３の前端に係止されている状態になる。従って、注射針固定管１５は偏心した重心により、プランジャとの係止点である後側の端を支持点として重力方向に傾く。その際、注射針固定管１５に固定されている注射針１６の前端のみがシリンダ１１の内径部に接触する。そして、シリンダの接触面と注射針固定管１５とは一定の傾斜角を維持する。
【００２２】
図５Ｄ及び図５Ｅを参照しながら、注射針固定管がシリンダの外部に抜け出ることを防止するための過程を説明する。
プランジャ１３に形成されている切断溝１８をシリンダ１１の後側のすぐ外側に位置させる。その後、プランジャ１３を長手方向と直交する方向に繰り返して折ると、その力によりプランジャ１３の切断溝１８部分が切断される。プランジャ１３の切断後、シリンダ１１の外で分離されたプランジャ１３を、切断部分がシリンダ１１側を向くように、シリンダの前側に位置させる。その後、結合管１２を通してシリンダ１１内の空間部に大部分を嵌挿させると、シリンダ１１の一端である前側の開口部分が閉鎖される。よって、注射器の使用後の廃棄過程において、シリンダ１１内の空間部に引き寄せられている注射針固定管１５の注射針１６がシリンダ１１の外部に出ることを防止することができる。
【発明の開示】
【発明が解決しようとする課題】
【００２３】
しかし、上記のような従来の使い捨て式注射器では、注射針固定管と結合管の間を緊密に維持するためにＯ−リングを使用しているので、以下のような問題を有する。
第一に、Ｏ−リングは小さい外部圧力に非常に敏感な変形性を有するものであるため、結合管内に安全に挿入することが困難であり、これにより使い捨て式注射器の不良率が高くなる。
【００２４】
第二に、Ｏ−リングを使用する使い捨て式注射器において、不良率を低減させるためには、組立てラインに様々な複雑な付加装置を備えなければならないため、生産コストが上昇する。
【００２５】
第三に、不良状態のＯ−リングを目視で容易に区別できないため、Ｏ−リングの不良状態で組立てられた注射器を使用すると、注射液が漏れてしまい、患者に不安感を感じさせる。
【００２６】
本発明は上記の問題点を解決するためのもので、その目的は、製品の不良率を低減させつつ、安全に使用できる使い捨て式注射器を提供することにある。
【００２７】
また、本発明の他の目的は、使い捨て式注射器の組立てラインに別途の複雑な付加装置を備えず、製品の生産コストを低減できる使い捨て式注射器を提供することにある。
【００２８】
さらに、本発明の他の目的は、目視でその不良状態を識別できる結合部品を使用することにより、注射器の使用過程において、患者に信頼感を与えることのできる使い捨て式注射器を提供することにある。
【課題を解決するための手段】
【００２９】
上記目的を達成するために、本発明は、両端が開口されたシリンダと、前記シリンダの一方の端部に挿入されるアダプタ管と、前記アダプタ管に挿入され、かつ前記アダプタ管を前記シリンダの内壁に緊密に接触させる差し込み管と、前記シリンダに挿入されるピストンとを含む使い捨て式注射器を提供する。
【００３０】
前記アダプタ管は、小径部と、前記小径部より内径が相対的に大きい大径部とを含み、前記差し込み管は、前記アダプタ管の大径部の内壁に緊密に接触する第１の接触部と、前記小径部に挿入される挿入部とを含むことが望ましい。また、前記差し込み管はさらに、前記第１の接触部の後方に延び、かつ前記シリンダの内壁に接触する第２の接触部を含むことが望ましい。
【００３１】
前記アダプタ管の小径部には第２の係止段差が形成され、前記差し込み管の挿入部には前記アダプタ管の第２の係止段差に対応する第２の係止突起が形成されることが望ましい。また、前記差し込み管の第２の係止突起は、前記差し込み管の前側の一部のみに形成されることが望ましい。また、前記差し込み管の第２の係止突起は、前方に所定の傾斜を有することが望ましい。
【００３２】
前記差し込み管の後側には内側に第１の係止段差が形成され、前記ピストンの前側には前記差し込み管の第１の係止段差に対応する第１の係止突起が形成されることが望ましい。さらに、前記差し込み管の第１の係止段差と前記ピストンの第１の係止突起のうちのいずれかは傾いて形成されることが望ましい。また、前記差し込み管の第１の接触部の外径は前記アダプタ管の大径部の内径より大きいことが望ましい。
【００３３】
前記アダプタ管の外壁には係合突起が形成され、前記シリンダの内壁には前記アダプタ管の係合突起に対応する係合溝が形成されることが望ましい。また、前記アダプタ管及び前記差し込み管のうち、少なくとも一方は弾性部材からなることが望ましい。さらに、前記アダプタ管の外壁には突出片が形成され、前記シリンダの内壁には前記突出片に対応する凹溝が形成されることが望ましい。
【００３４】
前記アダプタ管はその前方に延びる注射液排出管を有することが望ましい。また、前記注射液排出管には注射針固定管が結合されることが望ましい。
【００３５】
前記シリンダの前側には結合管が形成され、前記結合管の内壁には突起が形成され、また前記注射針固定管には前記結合管の突起に係合するフランジが形成されることが望ましい。また、前記ピストンの前側には、前記注射液排出管に挿入される加圧片が偏心して形成されることが望ましい。なお、前記加圧片は弾性部材からなることがさらに望ましい。
【発明を実施するための最良の形態】
【００３６】
以下、本発明の目的を実現するための具体的な実施形態について説明する。
添付の図６〜図８及び図９Ａ〜図９Ｆを参照して、本発明の一実施形態を説明すると、以下の通りである。
【００３７】
まず、本発明による使い捨て式注射器を概略的に説明する。
両端が開口されたシリンダ１０１の一方の端部にアダプタ管１０５が挿入される。また、アダプタ管には、アダプタ管をシリンダの内壁に緊密に接触させる差し込み管１０７が挿入される。なお、シリンダには、注射液を加圧するピストン１０４を有するプランジャが挿入される。
【００３８】
各々の構成要素を説明すると、以下の通りである。
アダプタ管は、その内側に内径が比較的に小さい小径部１０５ｆと、小径部より内径が相対的に大きい大径部１０５ｇとを有する。また、差し込み管は、アダプタ管の大径部の内壁に緊密に接触する第１の接触部１０７ｇと、その第１の接触部の前方に延びており、アダプタ管の小径部に挿入される挿入部１０７ｆとを有する。また、第１の接触部の後側には、シリンダの内壁に接触する第２の接触部１０７ｈを形成させることが望ましい。
【００３９】
アダプタ管の小径部に第２の係止段差１０５ａを形成し、差し込み管の挿入部にそのアダプタ管の第２の係止段差に対応させた第２の係止突起１０７ｂを形成することが望ましい。この差し込み管の第２の係止突起は、差し込み管の前側の一部のみに形成され、かつ前方に所定の傾斜を有することが望ましい。差し込み管の第１の接触部の外径はアダプタ管の大径部の内径より大きいことが望ましく、アダプタ管と前記差し込み管のうち、少なくとも一方は弾性部材からなることが望ましい。
【００４０】
差し込み管の後側の内径部に第１の係止段差１０７ａを形成し、ピストンの前側に差し込み管の第１の係止段差に対応させた第１の係止突起１１２ａを形成することが望ましい。また、差し込み管の第１の係止段差とピストンの第１の係止突起のうちのいずれかは所定の傾斜を有することが望ましい。
【００４１】
アダプタ管の外壁に係合突起１０５ｂを形成し、シリンダの内壁にアダプタ管の係合突起に対応させた係合溝１０１ａを形成することが望ましい。また、アダプタ管の外壁に突出片１０５ｃを形成し、シリンダの内壁に突出片に対応させて凹溝１０１ｂを形成することが望ましい。
【００４２】
注射液排出管１０６がアダプタ管の前方に延びている。その注射液排出管に注射針固定管１０９を結合させるようにすることが望ましい。シリンダの前側に結合管１０２を形成し、その結合管の内壁に突起１０２ａを形成し、注射針固定管に結合管の突起１０２ａに対応させて係合するフランジ１０９ａを形成することが望ましい。
【００４３】
ピストンの前側には、注射液排出管に挿入される加圧片１１２が偏心して形成されている。この加圧片は弾性部材からなることが望ましい。
【００４４】
図６を参照して、本発明による使い捨て式注射器の一実施形態に係る主要構成要素を説明する。
結合管１０２が形成されているシリンダ１０１と、シリンダの内部に嵌挿されるアダプタ管１０５と、アダプタ管の内部に嵌挿される差し込み管１０７とを有している。さらに、ピストン１０４と加圧片１１２とを備えたプランジャ１０３と、結合管１０２に結合される注射針固定管１０９とを備えている。
【００４５】
シリンダ１０１は、一端と他端とが連通した状態で内部に空間部を有し、一端である前側には結合管１０２が段差を持たせて形成されている。また、結合管１０２の内径部には螺旋状の突起１０２ａが形成されている。
【００４６】
アダプタ管１０５はシリンダ１０１の内部前側に係止される。アダプタ管１０５の外周縁には一定間隔で複数の係合突起１０５ｂが形成されている。また、アダプタ管１０５の前側端の中心部分にアダプタ管の直径より小さい直径を有する注射液排出管１０６が突出して形成されている。
【００４７】
差し込み管１０７はアダプタ管１０５をシリンダ１０１の前側に加圧し、アダプタ管１０５とシリンダ１０１とが緊密な状態で維持されるようにアダプタ管の内部に一定部分が嵌合される。また、差し込み管１０７の前側の外周縁には、第２の係止突起１０７ｂが形成されている。また、差し込み管１０７の前端部には、後方から前方に行くに従って外径が次第に小さくなるテーパー状の第１の傾斜面１０７ｃが形成されている。また、アダプタ管の内部に一定部分が係止される差し込み管の後側部分の外周縁には、後方から前方に行くに従って外径が小さくなるテーパー状の第２の傾斜面１０７ｄが形成されている。
【００４８】
プランジャ１０３の前側には加圧片１１２が設けられている。加圧片１１２はアダプタ管１０５に形成された注射液排出管１０６に挿入される。この加圧片１１２の後側には第１の係止突起１１２ａが形成されている。プランジャの前側には、シリンダ１０１の内部と緊密に接触した状態で移動し、かつシリンダ内の空間部に圧縮力または吸入力を提供するピストン１０４が結合されている。また、プランジャ１０３のピストン１０４に近い側には切断溝１１１が形成されている。
【００４９】
注射針固定管１０９の前側には注射針１０８が固定されている。注射針固定管１０９の後側の外周縁に楕円形のフランジ１０９ａが形成されている。注射針固定管１０９には注射針を保護するための注射針保護キャップ１１０が分離可能に結合される。
【００５０】
図７を参照して、アダプタ管と差し込み管の内部構造を具体的に説明する。
差し込み管１０７にはその内周縁に第１の係止段差１０７ａが形成され、この第１の係止段差１０７ａに加圧片に形成されている第１の係止突起１１２ａが係止される。即ち、プランジャに設けられた加圧片が後方に移動するとき、差し込み管をも後方に移動させる役割を果たす。差し込み管１０７の後側端は一定の傾斜面１０７ｅを有する。これはピストンの前側の傾斜面と一致させて、注射液がすべて押し出されるようにするためのものである。アダプタ管１０５の内周縁に第２の係止段差１０５ａが形成されている。この第２の係止段差１０５ａに差し込み管１０７に形成されている第２の係止突起１０７ｂが係止される。即ち、プランジャが後方へ移動することにより差し込み管が移動すると、アダプタ管をも後方に移動させる役割をする。
【００５１】
以下、図６ないし図８を参照しながら、本発明による使い捨て式注射器の一実施形態に係る組立て過程を説明する。
まず、アダプタ管１０５に形成されている注射液排出管１０６をシリンダ１０１の後方に配置する。その後、アダプタ管１０５を前方に移動させると、アダプタ管はシリンダ１０１内の空間部に係止される。このとき、アダプタ管１０５の外周縁に沿って一定間隔で形成されている複数の係合突起１０５ｂは、シリンダ１０１の内周縁に形成されている係合溝１０１ａに係止される。
【００５２】
また、差し込み管１０７をシリンダ１０１の後方からシリンダ内の空間部に挿入して前方に移動させる。すると、ある瞬間、差し込み管１０７がアダプタ管１０５の内径部に接触する。このとき、差し込み管１０７の外周縁に形成されている第２の係止突起１０７ｂが、アダプタ管１０５の内径部に形成されている第２の係止段差１０５ａに係止され、干渉させられる。これは差し込み管１０７が接触した位置で、差し込み管の外径がアダプタ管１０５の内径より大きいからである。その後、差し込み管１０７をさらに前方に押して移動させると、第２の係止突起１０７ｂが第２の係止段差１０５ａの干渉力に勝るようになる。これは、差し込み管１０７の前端には後方から前方に行くに従って、外径が次第に小さくなるテーパー状の第１の傾斜面１０７ｃが形成されており、差し込み管１０７が弾性部材からなっているためである。
【００５３】
さらに、差し込み管１０７を続けて前方に移動させると、差し込み管の後側の外径部のアダプタ管に係合される部分が、アダプタ管１０５の内径部の後側の端に係合し、さらに干渉を受けるようになる。即ち、結合が強制係合により行われる。これは、アダプタ管１０５の内径部の後側の端に係合される差し込み管の外径が、アダプタ管の後側の端の内径より相対的に大きいためである。しかし、その後前記差し込み管１０７を前方にさらに押して移動させると、差し込み管１０７がアダプタ管１０５の内径部に完全に嵌合される。これは、差し込み管１０７の外径部の後側部分が後方から前方に行くに従って外径が小さくなるテーパー状の第２の傾斜面１０７ｄで形成されており、差し込み管が弾性部材からなっているためである。
【００５４】
差し込み管１０７がアダプタ管１０５の内径部に完全に嵌合させられると、差し込み管１０７はアダプタ管１０５の後側部分をシリンダ１０１側に押圧する。従って、アダプタ管１０５とシリンダ１０１の間が緊密な状態で維持される。このとき、シリンダ１０１の内径部に形成されている半円形の凹溝１０１ｂに、アダプタ管１０５の後側の外周縁に形成されている半円形の突出片１０５ｃが係止される。したがって、突出片がパッキングの役割を果たすことにより、アダプタ管１０５とシリンダ１０１とがさらに緊密に維持され、かつ注射液がどのような場合にもアダプタ管１０５とシリンダ１０１の間から漏れなくなる。
【００５５】
このような過程を経て、シリンダ１０１内の空間部にアダプタ管１０５が係合され、アダプタ管に差し込み管１０７が係合されて組立てが完了し、シリンダ１０１内の空間部にピストン１０４が配置される。その際、切断溝１１１が形成されているプランジャ１０３が挿入される。その後、注射針固定管１０９を注射液排出管１０６に係合させることにより、シリンダに形成されている結合管１０２に結合させる。
【００５６】
アダプタ管１０５に形成されている注射液排出管１０６に注射針固定管１０９を結合させるとき、注射針固定管１０９を注射液排出管１０６に直接挿入しても良い。このとき、注射針固定管１０９がアダプタ管１０５と強制係合される。従って、注射液の注入過程において、注射液排出管１０６と注射針固定管１０９の間から注射液が漏れることがなくなる。また、結合力の向上のため、注射針固定管１０９の後側の外周縁には、楕円形のフランジ１０９ａが形成されている。この楕円形のフランジ１０９ａを、シリンダ１０１の前側に段差を持たせて形成されている結合管１０２の内径部に螺旋状態で形成されている突起１０２ａと結合させることがさらに望ましい。
【００５７】
注射針１０８が固定されている注射針固定管１０９をアダプタ管１０５の注射液排出管１０６に結合させる過程は、本発明による注射器の最初の組立て時に実施してもかまわない。また、必ずしもそれに限らず、ユーザが本発明による注射器の使用直前に実施しても良い。その後、注射針固定管に注射針保護キャップ１１０を結合して、注射針保護キャップが注射針１０８を囲んだ状態で保護するようにすればよい。
【００５８】
以下、図９Ａないし図９Ｆを参照して、本発明による使い捨て式注射器の一実施形態に関する使用過程を説明する。
患者に注射液を注入するためには、まずシリンダ内の空間部に注射液を吸入させなければならない。この注射液がシリンダ内の空間部に吸入される過程は、上述した従来の使い捨て式注射器の一例における過程と同一であるので、省略する。図９Ａはシリンダ１０１内の空間部のうち、プランジャ１０３に結合されたピストン１０４を基準として図面の左側部分に注射液が充満している状態を示している。
【００５９】
また、患者に注射液を注入する過程についても、上述した従来の使い捨て式注射器の一例における過程と同一であるので、省略する。なお、注射液の注入過程において、シリンダ１０１内の前側に結合されているアダプタ管１０５は、差し込み管１０７によりシリンダ１０１との間を緊密な状態に維持している。従って、シリンダ１０１を出た注射液は外部に漏れず、続いてアダプタ管１０５に形成された注射液排出管１０６を通して排出される。
【００６０】
以下、図８及び図９Ｂを参照して、患者へ注射液の注入が完了した状態を説明する。
ピストン１０４の突出した傾斜部分１０４ａは、差し込み管１０７の削られた傾斜部１０７ｅに正確に受容される。即ち、注射液の注入過程においてシリンダ１０１の内径部に圧縮力が提供されるとき、シリンダ１０１内の注射液が差し込み管１０７の削られた傾斜部分１０７ｅに沿って自然に中心部側に集まる。そして、シリンダ１０１内の注射液が差し込み管１０７側に円滑に移動して、シリンダ１０１を出るため、シリンダ１０１内には残らない。
【００６１】
なお、プランジャ１０３の前端の中心部に突出して形成されている加圧片１１２が、差し込み管１０７の内径部を通ってアダプタ管１０５に形成された注射液排出管１０６の内径部に挿入される。また、軸方向の中心線が傾いていた加圧片１１２の端は、接触する注射液排出管１０６の特定の部位を押圧する。即ち、注射液排出管１０６は、加圧片１１２と接触した特定の部位に偏心した押圧力を受ける。
【００６２】
図９Ｃを参照して、シリンダとアダプタ管との緊密な接触が解除される過程を説明する。
注射液の注入完了後、ユーザがシリンダ１０１を患者の反対側に移動させ、患者の皮膚に刺されていた注射針１０８を抜く。そして、前方に移動していたプランジャ１０３を引いて後方に移動させると、プランジャに形成されている加圧片１１２も共に後方に移動する。このとき加圧片１１２の外径部に形成されている第１の係止突起１１２ａが、差し込み管１０７の内周縁に沿って形成されている第１の係止段差１０７ａに係合する。これにより、プランジャ１０３の後方移動力が加圧片１１２に形成された第１の係止突起１１２ａを通じて差し込み管１０６に伝達されるため、差し込み管はアダプタ管１０５の内径部から、ある程度出る。即ち、アダプタ管の内径部と差し込み管の外径部との間に形成された空間だけ移動する。従って、差し込み管１０７によりアダプタ管からシリンダ１０１側に加えられていた圧力が解除され、アダプタ管１０５とシリンダ１０１との間の緊密接触も解除される。もし、この空間が形成されていなければ、アダプタ管１０５とシリンダ１０１との緊密状態を解除することが容易ではない。これは、プランジャを後方に移動するとき、シリンダ１０１とアダプタ管１０５との接触面の全面に摩擦力が作用するためである。しかし、本発明では空間が存在するため、緊密状態を解除するとき、アダプタ管１０５と差し込み管１０７との摩擦力に勝る力を加えるだけでよい。具体的に説明すると、アダプタ管１０５と差し込み管１０７とは、相対的に小さい接触面を有している。従って、結合が強制係合されたものであるとしても、容易にシリンダ１０１とアダプタ管１０５との緊密状態を解除することができる。
【００６３】
なお、注射液排出管１０６の内径部のうち、加圧片１１２の端が接触する部分には、周りに沿って係止段差を形成し、加圧片１１２の端に係止段差より前方に位置するように係止突起を形成することができる。その後、プランジャ１０３を後方に引いて移動させるのに従って加圧片１１２が共に移動するとき、その係止突起が係止段差に係止し、注射液排出管１０６に後方への移動力を与えることができる。
【００６４】
図９Ｄを参照しながら、注射針固定管１０９をシリンダ内部に引き入れる過程を説明する。
シリンダ１０１とアダプタ管１０５との間の緊密な接触が解除した後には、相互作用する摩擦力が相当減少する。従って、さらにプランジャを後方に引くと、注射針固定管１０９を容易にシリンダの内部に引き寄せることができる。上記の過程を具体的に説明すると、以下の通りである。
【００６５】
差し込み管１０７が後方に移動する途中、差し込み管１０７の外径部に形成されている第２の係止突起１０７ｂが、ある瞬間アダプタ管１０５の内径部に形成されている第２の係止段差１０５ａに係合する。従って、差し込み管１０７はアダプタ管１０５をシリンダの後側に引き寄せる。このときアダプタ管に形成されている注射液排出管１０６には注射針固定管１０９が係合されているので、注射針固定管１０９もシリンダ１０１内の空間部に引き寄せられる。即ち、注射針１０８は注射針固定管１０９に固定されたまま、シリンダ内の空間部に引き寄せられる。
【００６６】
なお、注射針固定管１０９がシリンダの内部に入った状態では、アダプタ管１０５の後側はシリンダ１０１との間で一定の間隔を有するようになる。また、アダプタ管１０５とそのアダプタ管の注射液排出管に係合されている注射針固定管１０９との結合体は、アダプタ管の内径部に係合されている差し込み管の外径部に係止される。このとき、アダプタ管１０５と注射針固定管１０９との結合体は、自身の偏心した重心により、前側が重力方向に傾く。
【００６７】
なお、アダプタ管１０５と注射針固定管１０９の結合体は、プランジャ１０３に形成された加圧片１１２により、重力方向に圧力を受ける。上述したように、注射液の注入が完了した状態では、軸方向の中心線が傾いていた加圧片１１２の端は、接触する注射液排出管１０６の特定の部位を押圧する。その後、プランジャを後方に移動させると、加圧片１１２は弾性部材からなっているため、傾いていた方向の反対方向即ち、重力方向に復元力が作用して結合体を押圧する。このとき加圧片１１２の外径部に形成されている第１の係止突起１１２ａも第１の係止段差に係止されながら力を受ける。第１の係止突起１１２ａが受ける力は、加圧片１１２にも影響を及ぼし、結合体を重力方向に押圧する。従って、アダプタ管１０５と注射針固定管１０９の結合体は、その結合体が係止されている差し込み管の外径部を基準として重力方向に確実に傾く。即ち、注射針固定管１０９に固定されている注射針１０８の前端のみがシリンダ１０１の内径部に接触する。従って、接触面に対して注射針固定管１０９と注射針１０８は、一定の傾斜角を維持するようになる。
【００６８】
図９Ｅ、図９Ｆは注射針固定管がシリンダの外部に出ることを防止するための過程を示している。しかし、この過程は従来の使い捨て式注射器の他の例で説明した内容と同一であるので、省略する。
【００６９】
以下、添付の図１０ないし図１２を参照して、本発明による使い捨て式注射器の他の実施形態を説明する。
図１０は本発明に係る使い捨て式注射器の他の実施形態を示した分解斜視図、図１１は本発明の使い捨て式注射器の他の実施形態に係る要部の構成要素のみを分離して示した斜視図、また、図１２は本発明に係る使い捨て式注射器の他の実施形態を示した要部縦断面図である。
【００７０】
図１０を参照して本発明に係る使い捨て式注射器の他の実施形態に関する主要構成要素を説明する。
両端が開口しているシリンダ１０１と、シリンダの内部に挿入されるアダプタ管１０５と、アダプタ管１０５の内部に挿入される差し込み管１０７とが備えられる。また、ピストン１０４と加圧片１１２とが設けられるプランジャ１０３と、結合管１２０と結合させられる注射針固定管１０９とが備えられる。
【００７１】
上記の実施形態では本発明による先の実施形態とは異なり、注射針固定管１０９と結合する結合管１０２をシリンダ１０１に形成せず、アダプタ管１０５に直接形成している。即ち、構成要素において、シリンダ１０１とアダプタ管１０５の形状だけに差があり、本発明による使い捨て式注射器の他の実施形態は、上述した本発明の先の実施形態とその使用方法及び結合構造が同一であるので、説明は省略する。
【産業上の利用可能性】
【００７２】
本発明による使い捨て式注射器の産業上の利用可能性を説明すると、以下の通りである。
第一に、本発明によるアダプタ管と差し込み管は、外部の圧力によって容易に変形せず、またシリンダ内の空間部における正確な位置に安定させて維持されるので、不良率を低減できる。
【００７３】
第二に、組立てラインに製品の不良率を減らすための別途の付加装置を備えなくても良いので、生産コストを低減することができる。
【００７４】
第三に、目視で不良状態を識別できるアダプタ管と差し込み管を使用して使い捨て式注射器を組立てることにより、注射器の使用過程において注射液が漏れることがなくなり、患者から信頼を得られる。
【図面の簡単な説明】
【００７５】
【図１】従来の使い捨て式注射器の一実施形態を示した分解斜視図である。
【図２Ａ】従来の使い捨て式注射器の一実施形態に係る使用状態を説明するための縦断面図である。
【図２Ｂ】従来の使い捨て式注射器の一実施形態に係る使用状態を説明するための縦断面図である。
【図３】従来の使い捨て式注射器の他の実施形態を示した分解斜視図である。
【図４】従来の使い捨て式注射器の他の実施形態に係る構成要素である注射針固定管とプランジャを分離して示した斜視図である。
【図５Ａ】従来の使い捨て式注射器の他の実施形態に係る使用状態を説明するための縦断面図である。
【図５Ｂ】従来の使い捨て式注射器の他の実施形態に係る使用状態を説明するための縦断面図である。
【図５Ｃ】従来の使い捨て式注射器の他の実施形態に係る使用状態を説明するための縦断面図である。
【図５Ｄ】従来の使い捨て式注射器の他の実施形態に係る使用状態を説明するための縦断面図である。
【図５Ｅ】従来の使い捨て式注射器の他の実施形態に係る使用状態を説明するための縦断面図である。
【図６】本発明に係る使い捨て式注射器の一実施形態を示した分解斜視図である。
【図７】本発明に係る使い捨て式注射器の一実施形態に係る要部の構成要素のみを分離して示した斜視図である。
【図８】本発明に係る使い捨て式注射器の一実施形態を示した要部縦断面図である。
【図９Ａ】本発明の使い捨て式注射器の一実施形態に係る使用状態を説明するための縦断面図である。
【図９Ｂ】本発明の使い捨て式注射器の一実施形態に係る使用状態を説明するための縦断面図である。
【図９Ｃ】本発明の使い捨て式注射器の一実施形態に係る使用状態を説明するための縦断面図である。
【図９Ｄ】本発明の使い捨て式注射器の一実施形態に係る使用状態を説明するための縦断面図である。
【図９Ｅ】本発明の使い捨て式注射器の一実施形態に係る使用状態を説明するための縦断面図である。
【図９Ｆ】本発明の使い捨て式注射器の一実施形態に係る使用状態を説明するための縦断面図である。
【図１０】本発明に係る使い捨て式注射器の他の実施形態を示した分解斜視図である。
【図１１】本発明に係る使い捨て式注射器の他の実施形態に係る要部の構成要素のみを分離して示した斜視図である。
【図１２】本発明に係る使い捨て式注射器の他の実施形態を示した要部縦断面図である。
【図１】
2006525830.tif 000003
2006525830.tif 000004
【図３】
2006525830.tif 000005
【図４】
2006525830.tif 000006
2006525830.tif 000007
2006525830.tif 000008
【図６】
2006525830.tif 000009
【図７】
2006525830.tif 000010
【図８】
2006525830.tif 000011
2006525830.tif 000012
2006525830.tif 000013
2006525830.tif 000014
【図１０】
2006525830.tif 000015
【図１１】
2006525830.tif 000016
【図１２】
2006525830.tif 000017
【国際調査報告】
2006525830.tif 000018
2006525830.tif 000019